(57)【要約】【課題】長期間外出中でも自動的に給肥・給水ができる栽培容器を提供することを課題とする。【解決手段】  本発明が上記課題を解決するために提供する栽培容器は、容器１と、この容器１に入れた栽培用土６中に埋設された受け皿２と、その受け皿２底部上面に立ち上げた筒３と、この筒３の中に挿入し、前記受け皿２底部上面に開口部４ａにおいて立ち上げたボトル４とより構成し、前記受け皿２底部上面とボトル４の開口部４ａとの接触部が水の流路となっていることを特徴とするものである。【選択図】図２
2011239690.tif 000002
【特許請求の範囲】
【請求項１】
容器と、この容器に入れた栽培用土中に埋設された受け皿と、その受け皿底部上面に立ち上げた筒と、この筒の中に挿入し、前記受け皿底部上面に開口部において立ち上げたボトルとより構成し、前記受け皿底部上面とボトルの開口部との接触部が水の流路となっていることを特徴とする栽培容器。
【請求項２】
前記接触部に、更に水の流路を形成したことを特徴とする請求項１記載の栽培容器。
【請求項３】
前記水の流路は、開口部の側壁に設け、その大きさを調整する調整手段を備えていることを特徴とする請求項１又は請求項２の栽培容器。
【発明の詳細な説明】
【技術分野】
【０００１】
本発明は、栽培容器に関するものである。
【背景技術】
【０００２】
従来の栽培容器は給肥や給水を継続して行わなければならず、人手の掛かる作業を必要とした。長期の外出中に栽培容器の中の植物が枯れてしまう危険があった。栽培容器の中の栽培用土が少量なので保水能力が低く、給水の多くは流出する。その際、栽培用土の中の肥料も水と一緒に流出し、肥料が不足してしまう問題もあった。
【先行技術文献】
【特許文献】
【０００３】
【特許文献１】特願２０１０−０４１７６９
【発明の概要】
【発明が解決しようとする課題】
【０００４】
長期間外出しても自動的に給肥・給水ができる栽培容器を提供することを課題とする。
【課題を解決するための手段】
【０００５】
本発明が上記課題を解決するために提供する栽培容器は、次の（１）、（２）及び（３）に記載のものである。
（１）容器と、この容器に入れた栽培用土中に埋設された受け皿と、その受け皿底部上面に立ち上げた筒と、この筒の中に挿入し、前記受け皿底部上面に開口部において立ち上げたボトルとより構成し、前記受け皿底部上面とボトルの開口部との接触部が水の流路となっていることを特徴とする栽培容器（以下、第１の栽培容器という）。
（２）前記接触部に、更に水の流路を形成したことを特徴とする前記（１）記載の栽培容器（以下、第２の栽培容器という）。
（３）前記水の流路は、その大きさを調整する調整手段を備えていることを特徴とする前記（１）記載の栽培容器又は前記（２）記載の栽培容器（以下、第３の栽培容器という）。
前記受け皿の底部上面に溝を設けてもよい。
前記受け皿の底部上面に凸部又は凹部を設けてもよい。
前記受け皿の底部上面に不織布を敷いてもよい。
前記ボトルの開口部の端面に凸部又は凹部を設けてもよい。
前記ボトルの開口部の側壁に水の通る切欠き部を設けてもよい。また、その切欠き部にはその大きさを調整する機構を設けてもよい。
前記ボトルの開口部の側壁に水と空気の通る穴を設けてもよい。また、その穴にはその大きさを調整する弁を設けてもよい。
前記ボトルの開口部の側壁に設けたオネジにキャップを締結して、このキャップに流路を設けてもよい。
【発明の効果】
【０００６】
花や野菜の栽培に必要な水や液肥を満たしたボトルを栽培容器の筒に差し込むだけで、長期間外出しても自動的に給肥・給水ができる。
【図面の簡単な説明】
【０００７】
【図１】本発明の実施例１の平面図
【図２】図１のＡ−Ａ断面図
【図３】図２の要部拡大図
【図４】本発明の実施例２の要部断面拡大図
【図５】本発明の実施例３の要部断面拡大図
【図６】本発明の実施例４の要部断面拡大図
【図７】本発明の実施例５の要部断面拡大図
【図８】本発明の実施例６の要部断面拡大図
【図９】本発明の実施例７の要部断面拡大図
【図１０】図９のＢ部拡大図
【図１１】本発明の実施例８の要部断面拡大図
【図１２】図１１のＣ部拡大図
【図１３】本発明の実施例９の要部断面拡大図
【図１４】本発明の実施例１０の要部断面拡大図
【図１５】図１４のＤ部拡大図
【図１６】本発明の実施例１１の断面図
【図１７】図１６のＥ部拡大図
【図１８】本発明の実施例１２の要部断面拡大図
【図１９】本発明の実施例１３の要部断面拡大図
【発明を実施するための最良の形態】
【０００８】
本発明を実施するための最良の形態を実施例によって説明する。
図１から図３は、第１の栽培容器の実施例１を示す。
図４から図１７は、第２の栽培容器の実施例２から実施例１１を示す。
図１８と図１９は、第３の栽培容器の実施例１２と実施例１３を示す。
［第１の栽培容器の実施例］
【０００９】
図１から図３は第１の栽培容器の実施例１を示す。
【実施例１】
【００１０】
本発明の実施例１を図１、図２、及び図３により説明する。図１は全体構成図であり、図２はその断面図であり、図３は図２の要部断面拡大図である。
【００１１】
［実施例１の構成について説明する］
【００１２】
本実施例１の栽培容器は、図２、及び図３に示すように容器１と、同容器１に入れた栽培用土６中に埋設された受け皿２と、同受け皿２底部上面に立ち上げた筒３と、同筒３の中に挿入し、前記受け皿２底部上面にボトルの開口部４ａにおいて立ち上げたボトル４とより構成され、さらに前記栽培用土６を前記筒２の内側を除き、前記容器１の内側に必要量満たしている。
【００１３】
［実施例１の機能について説明する］
【００１４】
図３により説明する。前記ボトル４の中に水や液肥５を必要量満たし、同ボトル４の開口部４ａを先頭に、同ボトル４を前記筒３に素早く挿入すると、水や液肥５は同ボトル４よりこぼれ、水や液肥５の水位は、同ボトル４の開口部４ａと受け皿２底部上面との接触面より上の水位Ｌとなる。このとき同ボトル４の中の水や液肥５は放出されないで、同ボトル４内にとどまっている。
【００１５】
前記筒３の底部に溜った水や液肥５は同筒３底部から外に浸透し、さらに栽培用土６全体へ浸透していき、前記筒３の中の水位Ｌが下がる。水位Ｌが前記受け皿２底部上面まで下がると、同受け皿２底部上面の歪みや凸凹、又は前記ボトル４が斜めに挿入されることによる同受け皿２底部上面と同ボトル４の開口部４ａとの隙間から同ボトルの中の水や液肥５は放出される。放出された水や液肥５は前記筒３底部から外に浸透していく。前記ボトル４から放出される水や液肥５の量より、前記筒３の底部から外に浸透していく水や液肥５のほうが少なければ、水位Ｌがある程度上がった段階でボトル４からの放出は停止される。水位Ｌが前記受け皿２底部上面まで下がると再び放出が開始される。
矢符は水の流れ方向を示す。
【００１６】
前記ボトル４内の水や液肥５がなくなるまで、前記受け皿２底部上面とボトル４の開口部４ａとの隙間から水や液肥５が放出され、前記筒３底部から前記容器１内の栽培用土６に必要な水や液肥４を供給する。
［第２の栽培容器の実施例］
【００１７】
次は第２の栽培容器の実施例について説明する。
第２の栽培容器の実施例は実施例２、実施例３、実施例４、実施例５、実施例６、実施例７、実施例８、実施例９、実施例１０及び実施例１１である。
【実施例２】
【００１８】
本発明の実施例２を図４により説明する。図４は実施例２の要部断面拡大図である。
［実施例１と異なる点］
【００１９】
実施例２に使用している金網７は、ボトル４の開口部４aと受け皿２の底部上面との間に通気性および通水性のある隙間を設けて、水や液肥５を放出し易くしている。また、筒３の中に異物が混入しないように底と側壁のあるフタ８を設けている。
金網７とフタ８を設けていることが、実施例１に比べて異なる点である。
【００２０】
［実施例２の構成について説明する］
【００２１】
本実施例２の栽培容器は、図４に示すように容器１と、同容器１に入れた栽培用土６中に埋設された受け皿２と、同受け皿２底部上面に立ち上げた筒３と、同筒３の中に挿入し、前記受け皿２底部上面にボトルの開口部４ａにおいて立ち上げたボトル４と、前記筒３の上にかぶせる側壁のあるフタ８とより構成され、さらに前記栽培用土６を前記筒２の内側を除き、前記容器１の内側に必要量満たしている。
【００２２】
［実施例２の機能について説明する］
【００２３】
前記ボトル４の中に水や液肥５を必要量満たした同ボトル４の開口部４aを先頭に、同ボトル４を前記筒３に素早く挿入すると、水や液肥５はボトル４よりこぼれ、水や液肥５の水位は、金網７上の前記ボトル４開口部４aより上の水位Ｌとなる。このとき同ボトル４の中の水や液肥５は放出されないで、同ボトル４内にとどまっている。
【００２４】
前記筒３の底部に溜った水や液肥５は、同筒３底部から外に浸透し、さらに栽培用土６の上部へ浸透していき、前記筒３の底部の水位Ｌが下がる。同水位Ｌが金網７上の前記ボトル４開口部４a高さＨ１より下がると、同ボトル４の中の水や液肥５が放出され、筒３の底部の水位Ｌが上がる。矢符は水の流れ方向を示す。
【００２５】
前記ボトル４内の水や液肥５が放出され、筒３の底部の水位Ｌが前記ボトル４の開口部４a高さＨ１より上がると、同ボトル４内の水や液肥４の放出は停止される。
【００２６】
前記ボトル４内の水や液肥５がなくなるまで、上述のように、同ボトル４から同ボトル４内の水や液肥５の放出・停止を繰り返し、その間、前記容器１内の栽培用土６に必要な水や液肥５を供給する。
【００２７】
本実施例２の特徴は、ボトル４内の水や液肥５の放出を容易にするため、同ボトル４の開口部４ａと筒３の受け皿２の底部上面とに金網７を設けたことと、筒３のフタ８を設けたことである。
【実施例３】
【００２８】
本発明の実施例３を図５により説明する。図５は実施例３の要部断面拡大図である。
［実施例１と異なる点］
【００２９】
実施例３に使用しているボトル４の開口部４aの側壁４ｂ外径に嵌った開口９aのある巻ブッシュ９は、ボトル４の開口部４aと筒３の受け皿２の底部上面との間に隙間Ｈ２を設け、開口９aが水や液肥５の放出口になっている。また、筒３の中に異物が混入しないように天板に足のついたフタ１０を設けている。
巻ブッシュ９とフタ１０を設けていることが、実施例１に比べて異なる点である。
【００３０】
［実施例３の構成について説明する］
【００３１】
本実施例３の栽培容器は、図５に示すように容器１と、同容器１に入れた栽培用土６中に埋設された受け皿２と、同受け皿２底部上面に立ち上げた筒３と、同筒３の中に挿入し、前記受け皿２底部上面にボトル４の開口部４aの側壁４ｂ外径に嵌った巻ブッシュ９の端面９ａにおいて立ち上げたボトル４と、同ボトル４と前記筒３の上にかぶせる天板に足の付いたフタ１０とより構成され、さらに栽培用土６を前記筒３の内側を除き、前記容器１の内側に必要量満たす。
【００３２】
［実施例３の機能について説明する］
【００３３】
前記ボトル４の中に水や液肥５を必要量満たした同ボトル４の開口部４aの側壁４ｂ外径に嵌った巻ブッシュ９を先頭に、同ボトル４を前記筒３に素早く挿入すると、水や液肥５はボトル４よりこぼれ、水や液肥５の水位は、ボトル４の開口部４a高さＨ２より上の水位Ｌとなる。このときボトル４の中の水や液肥５は放出されないで、同ボトル４内にとどまっている。
【００３４】
前記筒３の底部に溜った水や液肥５は同筒３底部から外に浸透し、さらに栽培用土６の上部へ浸透していき、前記筒３の底部の水位Ｌが下がる。水位Ｌがボトル４開口部４a高さＨ２より下がると、同ボトル４の中の水や液肥５はボトル４開口部４aより巻きブッシュ９の開口９ａを通り、前記筒３の底部に放出され、同筒３の内側の水位Ｌが上がる。
矢符は水の流れ方向を示す。
【００３５】
前記ボトル４内の水や液肥５が放出され、前記筒３の底部の水位Ｌがボトル４開口部４a高さＨ２より上がると、同ボトル４内の水や液肥５の放出は停止される。
【００３６】
前記ボトル４内の水や液肥５がなくなるまで、上述のように、同ボトル４から同ボトル４内の水や液肥５の放出・停止を繰り返し、その間、前記容器１内の栽培用土６に必要な水や液肥５を供給する。
【００３７】
本実施例３の特徴は、ボトル４内の水や液肥５の放出を容易にするためボトル４の側壁４ｂに、ボトル開口部４ａと筒３の受け皿２の底部上面とに隙間Ｈ２のできる開口９ａのある巻きブッシュ９設けたことと、フタ１０を設けたことである。
【実施例４】
【００３８】
本発明の実施例４を図６により説明する。図６は実施例４の要部断面拡大図である。
［実施例１と異なる点］
【００３９】
実施例４に使用しているボトル４の開口部４aの側壁４ｂに巻いた巻線１１は、ボトル４の開口部４aと筒３の受け皿２の底部上面との間に隙間Ｈ３を設けている。また、同筒３の中に異物が混入しないように折り曲げたフタ１２を設けている。
巻線１１とフタ１２を設けていることが、実施例１に比べて異なる点である。
【００４０】
［実施例４の構成について説明する］
【００４１】
本実施例４の栽培容器は、図６に示すように容器１と、同容器１に入れた栽培用土６中に埋設された受け皿２と、同受け皿２底部上面に立ち上げた筒３と、同筒３の中に挿入し、前記同受け皿２底部上面にボトル４の開口部４aの側壁４ｂに巻いた巻線１１の端面において立ち上げたボトル４と、前記巻線１１と、前記ボトル４と前記筒３の上の折り曲げたフタ１２とより構成され、さらに栽培用土６を前記筒３の内側を除き、前記容器１の内側に必要量満たす。
【００４２】
［実施例４の機能について説明する］
【００４３】
前記ボトル４の中に水や液肥５を必要量満たした同ボトル４の開口部４aの側壁４ｂに巻いた巻線１１を先頭に、同ボトル４を前記筒３に素早く挿入すると、水や液肥５はボトル４よりこぼれ、水や液肥５の水位は、ボトル４開口部４a高さＨ３より上の水位Ｌとなる。このときボトル４の中の水や液肥５は放出されないで、同ボトル４内にとどまっている。
【００４４】
前記筒３の底部に溜った水や液肥５は筒３の底部から外に浸透し、さらに栽培用土６の上部へ浸透していき、前記筒３の底部の水位Ｌが下がる。水位Ｌがボトル４開口部４a高さＨ３より下がると、同ボトル４の中の水や液肥５が放出され、筒３の底部の水位Ｌが上がる。
矢符は水の流れ方向を示す。
【００４５】
前記ボトル４内の水や液肥５が放出され、筒３の底部の水位Ｌがボトル４の開口部４a高さＨ３より上がると、同ボトル４内の水や液肥５の放出は停止される。
【００４６】
前記ボトル４内の水や液肥５がなくなるまで、上述のように、同ボトル４から同ボトル４内の水や液肥５の放出・停止を繰り返し、その間、前記容器１内の栽培用土６に必要な水や液肥５を供給する。
【００４７】
本実施例４の特徴は、ボトル４内の水や液肥５の放出を容易にするためボトル４の開口部４ａの側壁４ｂに、同ボトル開口部４ａと筒３の受け皿２の底部上面とに隙間Ｈ３のできる巻線１１を設けたことと、フタ１２を設けたことである。
【実施例５】
【００４８】
本発明の実施例５を図７により説明する。図７は実施例５の要部断面拡大図である。
［実施例１と異なる点］
【００４９】
実施例５に使用している筒３の受け皿１３は、同受け皿１３の底部上面にボトル４の開口部４a開口径より小さな幅と、深さＨ４の溝１３ａを縦横に設けている。同受け皿１３の底部上面に、ボトル４の開口部４ａにおいて立ち上げた、同ボトル４から水や液肥５が放出されやすいようになっている。
前記受け皿１３の底部上面に溝１３ａを設けていることが、実施例１に比べ、異なる点である。
【００５０】
［実施例５の構成について説明する］
【００５１】
本実施例５の栽培容器は、図７に示すように容器１と、同容器１に入れた栽培用土６中に埋設され、底部上面にボトルの開口部開口口径より小さな幅と深さＨ４の溝１３ａを持つ受け皿１３と、同受け皿１３の底部上面に立ち上げた筒３と、同筒３の中に挿入し、前記受け皿１３の底部上面に開口部４ａにおいて立ち上げたボトル４とより構成され、さらに栽培用土６を前記筒３の内側を除き、前記容器１の内側に必要量満たす。
【００５２】
［実施例５の機能について説明する］
【００５３】
前記ボトル４の中に水や液肥５を必要量満たした同ボトル４の開口部４aを先頭に、同ボトル４を前記筒３に素早く挿入すると、水や液肥５はボトル４よりこぼれ、水や液肥５の水位は、ボトル４の開口部４ａより上の水位Ｌとなる。このときボトル４の中の水や液肥５は放出されないで、同ボトル４内にとどまっている。  
【００５４】
前記筒３の底部に溜った水や液肥５は筒３底部から外に浸透し、さらに栽培用土６の上部へ浸透していき、前記筒３の底部の水位Ｌが下がる。水位Ｌが前記ボトル４の開口部４aの高さＨ４より下がると、同ボトル４中の水や液肥５放出され、筒３底部の水位Ｌが上がる。
矢符は水の流れ方向を示す。
【００５５】
前記ボトル４内の水や液肥が放出され、前記筒３の底部の水位Ｌが前記ボトルの開口部４a高さＨ４より上がると、同ボトル内の水や液肥５放出は止まる。
【００５６】
前記ボトル４内の水や液肥５なくなるまで、上述のように、同ボトル４から同ボトル４内の水や液肥５の放出・停止を繰り返し、その間、前記容器１内の栽培用土６に必要な水や液肥５を供給する。
【００５７】
本実施例５の特徴は、ボトル４内の水や液肥５の放出を容易にするため、筒３の受け皿２の底部上面に溝を設けたことである。
【実施例６】
【００５８】
本発明の実施例６を図８により説明する。図８は実施例６の要部断面拡大図である。
［実施例１と異なる点］
【００５９】
実施例６に使用しているボトル１４は、同ボトル１４の開口部１４aの開口部側壁１４ｂに水や液肥５が放出し易いように開口部切欠き１４ｃを設けている。
同開口部切欠き１４ｃを設けていることが実施例１に比べ、異なる点である。
【００６０】
［実施例６の構成について説明する］
【００６１】
本実施例６の栽培容器は、図８に示すように容器１と、同容器１に入れた栽培用土６中に埋設された受け皿２と、同受け皿２の底部上面に立ち上げた筒３と、同筒３の中に挿入し、前記受け皿２の底部上面に切欠きのある開口部１４ａにおいて立ち上げたボトル１４とより構成され、さらに栽培用土６を前記筒３の内側を除き、前記容器１の内側に必要量満たす。
【００６２】
［実施例６の機能について説明する］
【００６３】
前記ボトル１４の中に水や液肥５を必要量満たした同ボトル１４の開口部１４aを先頭に、同ボトル１４を前記筒３に素早く挿入すると、水や液肥５はボトル１４よりこぼれ、水や液肥５の水位は、ボトル１４の開口部切欠き１４ｃ高さＨ５より上の水位Ｌとなる。このときボトル１４の中の水や液肥５は放出されないで、同ボトル１４内にとどまっている。
【００６４】
前記筒３の底部に溜った水や液肥５は同筒３の底部から外に浸透し、さらに栽培用土６の上部へ浸透していき、前記筒３の底部の水位Ｌが下がる。水位Ｌが前記ボトル１４の開口部切り欠き１４ｃ高さＨ５より下がると、同ボトル１４の中の水や液肥５が放出され、筒内の水位Ｌが上がる。
矢符は水の流れ方向を示す。
【００６５】
前記ボトル１４内の水や液肥５が放出され、筒３の底部の水位Ｌが前記ボトル１４の開口部切欠き１４ｃ高さＨ５より上がると、同ボトル１４内の水や液肥５の放出は停止される。
【００６６】
前記ボトル１４内の水や液肥５がなくなるまで、上述のように、同ボトル１４から同ボトル１４内の水や液肥５の放出・停止を繰り返し、その間、前記容器１内の栽培用土６に必要な水や液肥４を供給する。
【００６７】
本実施例６の特徴は、ボトル１４内の水や液肥５の放出を容易にするため、ボトル１４に開口部切欠き１４ｃを設けたことである。
【実施例７】
【００６８】
本発明の実施例７を図９及び図１０により説明する。図９は実施例７の要部断面拡大図であり、図１０は図９のＢ部拡大図である。
［実施例１と異なる点］
【００６９】
ボトル１５の開口部１５aの外壁にオネジ部１５ｂを設け、同オネジ部１５ｂにネジキャップ１６が締結されている。同ネジキャップ１６の先に不織布１７とボス１８が小ネジ２０で取付けられている。
ボトル１５に、不織布１７とボス１８を取付けたネジキャップ１６を設けたことが実施例１に比べ、異なる点である。
【００７０】
［実施例７の構成について説明する］
【００７１】
本実施例７の栽培容器は、図９及び図１０に示すように容器１と、同容器１に入れた栽培用土６中に埋設された受け皿２と、同受け皿２底部上面に立ち上げた筒３と、同筒３の中に挿入するボトル１５と、同ボトル１５の開口部１５ａの外壁に設けたオネジ部１５ｂに締結されたネジキャップ１６と、同ネジキャップ１６の先に取付けられた不織布１７と、ボス１８と、前記ネジキャップ１６に前記不織布１７と前記ボス１８を固定するための座金１９と小ネジ２０とより構成され、さらに前記栽培用土６を前記筒３の内側を除き、前記容器１の内側に必要量満たしている。
【００７２】
［実施例７の機能について説明する］
【００７３】
前記ボトル１５の中に水や液肥５を必要量満たし、ネジキャップ１６に不織布１７、ボス１８が取付けられたキャップ部をボトル１５開口部のオネジ１５ｂに締結する。前記キャップ部を下端にして前記筒３に前記ボトル１５を挿入し、同キャップ部を下端にして前記受け皿２底部上面に立ち上げる。
前記ネジキャップ１６の放水穴１６ａは前記不織布１７で塞がれているので放水はなく、前記筒３内の水位は０である。
前記ボトル１５内の水や液肥５は前記ネジキャップ１６の放水穴１６ａを通り前記不織布１７に浸透し、同不織布１７の外周から滴り落ち、前記筒３の底部に溜る。水や液肥５の放出分に対応して空気流入穴１５ｃから空気が流入する。
前記筒３の底部に溜った水や液肥５は、同筒３底部から外に浸透し、さらに栽培用土６の全体へ浸透していく。
【００７４】
水や液肥５が前記筒３底部から外に浸透する量より前記不織布１７の外周から滴り落ち量が多ければ水位は徐々に上がるが、同不織布１７上面高さＨ６以上には上がらない。
前記ボトル１５内の水や液肥５がなくなるまで、前記容器１内の栽培用土６に必要な水や液肥５を供給する。
矢符は水の流れ方向を示す。
【００７５】
本実施例７の特徴は、不織布１７の先にボス１８をもうけたことにより、一定の水位を維持することが可能であることが特徴である。
【実施例８】
【００７６】
本発明の実施例８を図１１及び図１２により説明する。図１１は実施例８の要部断面拡大図であり、図１２は図１１のＣ部拡大図である。
［実施例１と異なる点］
【００７７】
ボトル１５の開口部１５aの外壁にオネジ部１５ｂを設け、同オネジ部１５ｂにネジキャップ２１が締結されている。同ネジキャップ２１には開閉バルブ２２が設けられている。
ボトル１５に、開閉バルブ２２の付いたネジキャップ２１を設けたことが実施例１に比べ、異なる点である
【００７８】
［実施例８の構成について説明する］
【００７９】
本実施例８の栽培容器は、図１１及び図１２に示すように容器１と、同容器１に入れた栽培用土６中に埋設された受け皿２と、同受け皿２底部上面に立ち上げた筒３と、同筒３の中に挿入するボトル１５と、同ボトル１５の開口部１５ａの外壁に設けたオネジ部１５ｂに締結されたネジキャップ２１と、同ネジキャップ２１に設けられた開閉バルブ２２と、同開閉バルブ２２の抜け止め用のＥリングとより構成され、さらに前記栽培用土６を前記筒３の内側を除き、前記容器１の内側に必要量満たしてある。
【００８０】
［実施例８の機能について説明する］
【００８１】
前記ボトル１５の中に水や液肥５を必要量満たし、ネジキャップ２１をボトル１５開口部のオネジ１５ｂに締結する。前記ネジキャップ２１を下端にして前記筒３に前記ボトル１５を挿入する。このとき前記ネジキャップ２１に設けられている開閉バルブ２２は閉になっている。前記ネジキャップ２１を下端にして前記受け皿２底部上面に立ち上げると、前記開閉バルブ２２の先端が前記受け皿２底部上面に押され、前記開閉バルブ２２は開となり、前記ボトル１５内の水や液肥５はネジキャップ放水穴２１ａを通り放水口２１ｂから放出される。水や液肥５の放出分に対応して空気流入穴１５ｃから空気が流入する。
前記筒３の底部に溜った水や液肥５は、同筒３底部から外に浸透し、さらに栽培用土６の全体へ浸透していく。
【００８２】
水や液肥５が前記筒３底部から外に浸透する量より放出量が多ければ水位は徐々に上がるが、放出口高さＨ７以上には上がらない。
前記ボトル１５内の水や液肥５がなくなるまで、前記容器１内の栽培用土６に必要な水や液肥５を供給する。
矢符は水の流れ方向を示す。
【００８３】
本実施例８の特徴は、ネジキャップ２１に開閉バルブを設けたことである。
【実施例９】
【００８４】
本発明の実施例９を図１３により説明する。図１３は実施例９の要部断面拡大図である。
［実施例１と異なる点］
【００８５】
受け皿２底部上面と筒３の間に不織布２５が敷かれている。
ボトル２４の開口部２４ａと受け皿２底部上面との間に不織布２５を設けたことが実施例１に比べ、異なる点である
【００８６】
［実施例９の構成について説明する］
【００８７】
本実施例９の栽培容器は、図１３に示すように容器１と、同容器１に入れた栽培用土６中に埋設された受け皿２と、同受け皿２底部上面に敷かれた不織布２５と、同不織布２５の上面に立ち上げた筒３と、同筒３の中に挿入し前記不織布２５の上面にボトルの開口部２４ａにおいて立ち上げたボトル２４とより構成され、さらに前記栽培用土６を前記筒３の内側を除き、前記容器１の内側に必要量満たしている。
【００８８】
［実施例９の機能について説明する］
【００８９】
図１３により説明する。前記ボトル２４の中に水や液肥５を必要量満たし、同ボトル２４の開口部２４ａを先頭に、同ボトル２４を前記筒３に素早く挿入し、前記不織布２５の上面に前期ボトルの開口部２４ａにおいて立ち上げる。
水や液肥５は同ボトル２４よりこぼれ、水や液肥５の水位は、受け皿２底部上面の不織布２５より上の水位Ｌとなる。このとき同ボトル２４の中の水や液肥５は放出されないで、同ボトル２４内にとどまっている。
【００９０】
前記筒３の底部に溜った水や液肥５は同筒３底部から外に浸透し、さらに栽培用土６全体へ浸透していき、前記筒３の中の水位Ｌが下がる。水位Ｌが前記不織布２５の上面まで下がると、前記ボトル２４内の水や液肥５はボトル開口部２４ａから前記不織布２５に浸透し、同不織布２５に浸透した水や液肥５は前記筒３の外にある不織布２５から栽培用土６の全体へ浸透していく。水や液肥５の放出分に対応して空気流入穴から空気が流入する。
【００９１】
前記ボトル２４内の水や液肥５がなくなるまで、前記容器１内の栽培用土６に必要な水や液肥５を供給する。
矢符は水の流れ方向を示す。
【００９２】
本実施例９の特徴は、ボトル挿入時だけ一時的に水位は上がるが、水の移動は不織布内であり水位は０であること。
【実施例１０】
【００９３】
本発明の実施例１０を図１４及び図１５により説明する。図１４は実施例１０の要部断面拡大図であり、図１５は図１４のＤ部拡大図である。
［実施例１と異なる点］
【００９４】
ボトル１５の開口部１５aの外壁にオネジ部１５ｂを設け、同オネジ部１５ｂにネジキャップ２６が締結されている。同ネジキャップ２６の先に不織布２７が取付けられている。
ボトル１５に、不織布２７の付いたネジキャップ２６を設けたことが実施例１に比べ、異なる点である
【００９５】
［実施例１０の構成について説明する］
【００９６】
本実施例１０の栽培容器は、図１４及び図１５に示すように容器１と、同容器１に入れた栽培用土６中に埋設された受け皿２と、同受け皿２底部上面に敷いた不織布２５と、同不織布２５上に立ち上げた筒３と、同筒３の中に挿入するボトル１５と、同ボトル１５の開口部１５ａの外壁に設けたオネジ部１５ｂに締結されたネジキャップ２６と、同ネジキャップ２６の先に取付けられた不織布２７と、同不織布２７を前記ネジキャップ２６に固定するための座金２８と小ネジ２９とより構成され、さらに前記栽培用土６を前記筒３の内側を除き、前記容器１の内側に必要量満たしている。
【００９７】
［実施例１０の機能について説明する］
【００９８】
前記ボトル１５の中に水や液肥５を必要量満たし、ネジキャップ２６に不織布２７が取付けられたキャップ部をボトル開口部のオネジ１５ｂに締結する。前記キャップ部を下端にして前記筒３に前記ボトル１５を挿入し、同キャップ部を下端にして前記受け皿２底部上面の不織布２５上に立ち上げる。
ネジキャップ２６の放水穴２６ａは前記不織布２７で塞がれているので放水はなく、前記筒３内の水位は０である。
前記ボトル１５内の水や液肥５はネジキャップの放水穴２６ａを通り前記不織布２７に浸透し、さらに同不織布２７に接触している不織布２５に浸透する。同不織布２５に浸透した水や液肥５は前記筒３の外にある不織布２５から栽培用土６の全体へ浸透していく。水や液肥５の放出分に対応して空気流入穴から空気が流入する。
【００９９】
前記ボトル７内の水や液肥５がなくなるまで、前記容器１内の栽培用土６に必要な水や液肥５を供給する。
矢符は水の流れ方向を示す。
【０１００】
本実施例１０の特徴は、水の移動は不織布内であり水位は０であること。
【実施例１１】
【０１０１】
本発明の実施例１１を図１６及び図１７により説明する。図１６は実施例１１の断面図であり、図１７は図１６のＥ部拡大図である。
［実施例１と異なる点］
【０１０２】
筒３１が小さく、ボトル１５の開口部のオネジ部１５ｂに締結されるキャップ部及びボトル開口部側壁の範囲を前記筒３１内に挿入する。
ボトル１５を挿入する筒３１を、キャップ部が入ればよい程度に小さくしたことが実施例１に比べ、異なる点である
【０１０３】
［実施例１１の構成について説明する］
【０１０４】
本実施例１１の栽培容器は、図１６及び図１７に示すように容器１と、同容器１に入れた栽培用土６中に埋設された受け皿３０と、同受け皿３０底部上面に立ち上げた筒３１と、同筒３１の底部には一部切欠きがありこの切欠きを通り同筒３１内から栽培用土６中に伸びる不織布３２と、前記筒３１の中に挿入するボトル１５と、同ボトル１５の開口部１５ａの外壁に設けたオネジ部１５ｂに締結されたネジキャップ２６と、同ネジキャップ２６の先に取付けられた不織布２７と、同不織布２７を前記ネジキャップ２６に取付けるための座金２８と小ネジ２９とより構成され、さらに栽培用土６を前記筒３１の内側を除き、前記容器１の内側に必要量満たしている。
【０１０５】
［実施例１１の機能について説明する］
【０１０６】
前記ボトル１５の中に水や液肥５を必要量満たし、ネジキャップ２６に不織布２７が取付けられたキャップ部をボトル開口部のオネジ１５ｂに締結する。前記キャップ部を下端にして前記筒３１にボトル１５を挿入し、同キャップ部を下端にして前記筒３１内の不織布３２上に立ち上げる。
前記ネジキャップ２６の放水穴２６ａは不織布２７で塞がれているので放水はなく、前記筒３１内の水位は０である。
ボトル１５内の水や液肥５は前記ネジキャップの放水穴２６ａを通り前記不織布２７に浸透し、さらに同不織布２７に接触している前記不織布３２に浸透する。同不織布３２に浸透した水や液肥５は前記筒３１の外にある不織布３２から栽培用土６の全体へ浸透していく。水や液肥５の放出分に対応して空気流入穴１５ｃから空気が流入する。
【０１０７】
ボトル７内の水や液肥５がなくなるまで、前記容器１内の栽培用土６に必要な水や液肥５を供給する。
矢符は水の流れ方向を示す。
【０１０８】
本実施例１１の特徴は、ボトル１５及びキャップ部を受ける筒３１が小さくなったこと。
【０１０９】
［第３の栽培容器の実施例］
【０１１０】
次に、第３の栽培容器の実施例について説明する。
第３の栽培容器の実施例は実施例１２及び実施例１３である。
【実施例１２】
【０１１１】
本発明の実施例１２を図１８により説明する。図１８は実施例１２の要部断面拡大図である。
［実施例１と異なる点］
【０１１２】
実施例１２に使用しているボトル１４の開口部１４aには切り欠き１４ｃがある。開口部１４aの側壁１４ｂ外径に嵌っている、巻ブッシュ３３は、同巻ブッシュ３３の先端を斜めに切り落とした斜面３３aの位置をボトル１４の開口部１４aの切欠き１４ｃとの相対位置をずらすことにより、水や液肥５の放出口となっている切り欠き１４ｃの切欠き部高さＨ８を放出口高さＨ９に変え、放出量を調整することができる。
水や液肥５の放出量を調整できる巻ブッシュ３３を設けていることが、実施例１に比べて異なる点である。
【０１１３】
［実施例１２の構成について説明する］
【０１１４】
本実施例１２の栽培容器は、図１８に示すように容器１と、同容器１に入れた栽培用土６中に埋設された受け皿２と、同受け皿２の底部上面に立ち上げた筒３と、同筒３の中に挿入し、前記受け皿２の底部上面に開口部１４ａにおいて立ち上げたボトル１４と、ボトル１４の開口部１４aの側壁１４ｂ外径に嵌り、開口部１４a側の先端を斜めに切り落とされた巻ブッシュ３３とより構成され、さらに栽培用土６を前記筒３の内側を除き、前記容器１の内側に必要量満たす。
【０１１５】
［実施例１２の機能について説明する］
【０１１６】
前記ボトル１４の中に水や液肥５を必要量満たした同ボトル１４の開口部１４aを先頭に、同ボトル１４を前記筒３に素早く挿入すると、水や液肥４はボトル１４よりこぼれ、前記筒３の底部の水や液肥の水位は放出口高さＨ９より上の水位Ｌとなる。このときボトル１４の中の水や液肥５は流れ出ないで同ボトル１４内にとどまっている。
【０１１７】
前記筒３の底部に溜った水や液肥５は筒３底部から外に浸透し、さらに栽培用土６の上部へ浸透していき、前記筒３の底部の水位Ｌが下がる。水位Ｌが放出口高さＨ８より下がると、同ボトル１４の中の水や液肥５は放出され、筒３の底部の水位Ｌが上がる。
矢符は水の流れ方向を示す。
【０１１８】
前記ボトル１４内の水や液肥５が放出され、筒３の底部の水位Ｌが放出口高さＨ９より上がると、同ボトル１４内の水や液肥５の放出は停止される。
【０１１９】
前記ボトル１４内の水や液肥５がなくなるまで、上述のように、同ボトル１４から同ボトル１４内の水や液肥５の放出・停止を繰り返し、その間、前記容器１内の栽培用土６に必要な水や液肥５を供給する。
【０１２０】
本実施例１２の特徴は、ボトル１４内の水や液肥５の放出量を調節できる巻ブッシュ３３を設けていることである。
【実施例１３】
【０１２１】
本発明の実施例１３を図１９により説明する。図１９は実施例１３の要部断面拡大図である。
［実施例１と異なる点］
【０１２２】
実施例１３に使用しているボトル３４の開口部３４aの側壁３４ｂには弁取付けブロック３４ｃが取付けられている。同弁取付けブロック３４ｃには絞り弁３５が取付けられている。同絞り弁３５の先にはボトルの水や液の放出穴３４ｄが開けられおり、絞り弁３５の先端部の進入程度により、ボトル３４の水や液肥５の放出量が調整できる。前記絞り弁３５のネジ部にはロックナット３６が取付けられ、調整した放出量を固定できる。
実施例１３は、水や液肥５の放出量を調整できる絞り弁３５を設けていることが、実施例１に比べて異なる点である。
【０１２３】
［実施例１３の構成について説明する］
【０１２４】
本実施例１３の栽培容器は、図１９に示すように容器１と、同容器１に入れた栽培用土６中に埋設された受け皿２と、同受け皿２の底部上面に立ち上げた筒３と、同筒２の中に挿入し、前記受け皿２の底部上面にボトル開口部３４ａおいて立ち上げ、同ボトルの開口部３４ａ側壁３４ｂに取付けた弁取付けブロック３４ｃを設けたボトル３４と、同弁取付けブロック３４ｃに取付けられた絞り弁３５と、同絞り弁３５の調整位置を固定するロックナット３６とより構成され、さらに栽培用土６を前記筒３の内側を除き、前記容器１の内側に必要量満たす。
前記絞り弁３５の先端鋭角部の先には、水や液肥５の放出穴３４ｄが開口部側壁に開いている。水や液肥５は放出穴３４ｄと絞り弁３５の先端鋭角部との隙間を通り、弁取付けブロック３４ｃの下側の放出口３４ｅを通り、筒３の底部に放出される。
【０１２５】
［実施例１３の機能について説明する］
【０１２６】
前記ボトル３４の中に水や液肥５を必要量満たした同ボトル３４の開口部３４aを先頭に、同ボトル３４を前記筒３に素早く挿入すると、水や液肥５はボトル３４よりこぼれ、水や液肥５の水位は、ボトル３４開口部側壁部３４ｂの放出穴３４ｄ高さＨ１０より上の水位Ｌとなる。このときボトル３４の中の水や液肥５は流れ出ないで同ボトル３４内にとどまっている。
【０１２７】
前記筒３の底部に溜った水や液肥５は筒３底部から外に浸透し、さらに栽培用土６の上部へ浸透していき、前記筒３の中の水位Ｌが下がる。水位Ｌがボトル３４開口部側壁部３４ｂの放出穴３４ｄ高さＨ１０より下がると、同ボトル３４の中の水や液肥５は放出穴３４ｄと絞り弁３５の先端鋭角部との隙間を通り、弁取付けブロック３４ｃの下側の放出口３４ｅを通り、筒３の底部に放出され、筒３底部の水位Ｌが上がる。
矢符は水の流れ方向を示す。
【０１２８】
絞り弁３５の先端鋭角部の先と放出穴の隙間の程度により、水や液肥４の放出量を調整することができる。
水や液肥５の放出に対応して、空気流入穴３４ｆから空気が流入する。
【０１２９】
前記ボトル３４内の水や液肥５が放出され、筒３内の水位Ｌが前記ボトル３４開口部側壁部３４ｂの放出穴３４ｄ高さＨ１０より上がると、同ボトル３４内の水や液肥５の放出は停止される。
【０１３０】
前記ボトル３４内の水や液肥５がなくなるまで、上述のように、同ボトル３４内の水や液肥５の放出・停止を繰り返し、その間、前記容器１内の栽培用土６に必要な水や液肥５を供給する。
【０１３１】
本実施例１３の特徴は、ボトル３４内の水や液肥５の放出量を調節できる絞り弁３５を設けていることである。
【符号の説明】
【０１３２】
１            容器
２            受け皿
３            筒
４            ボトル
４ａ          開口部
４ｂ          開口部側壁
５            水や液肥
６            栽培用土
７            金網
８            フタ
９            巻ブッシュ
９ａ          巻ブッシュ開口
１０          フタ
１１          巻線
１２          フタ
１３          受け皿
１３ａ        溝
１４          ボトル
１４ａ        開口部
１４ｂ        開口部側壁
１４ｃ        開口部切欠き
１５          ボトル
１５ａ        開口部
１５ｂ        オネジ部
１５ｃ        空気流入穴
１６          ネジキャップ
１６ａ        水の放出穴
１７          不織布
１８          ボス
１９          座金
２０          小ネジ
２１          ネジキャップ
２１ａ        放出穴
２１ｂ        放出口
２２          開閉弁
２３          Ｅリング
２４          ボトル
２４ａ        開口部
２４ｃ        空気流入穴
２５          不織布
２６          ネジキャップ
２６ａ        放出穴
２７          不織布
２８          座金
２９          小ネジ
３０          受け皿
３１          筒
３２          不織布
３３          巻ブッシュ
３３ａ        巻ブッシュの斜面部
３４          ボトル
３４ａ        開口部
３４ｂ        開口部側壁
３４ｃ        弁取付けブロック
３４ｄ        放出穴
３４ｅ        放出口
３４ｆ        空気流入穴
３５          絞り弁
３６          ロックナット
Ｈ１          金網を挟んだボトル開口部と容器底部との隙間
Ｈ２          巻ブッシュに持ち上げられたボトル開口部と容器底部との隙間
Ｈ３          巻線に持ち上げられたボトル開口部と容器底部との隙間
Ｈ４          受け皿の溝深さ
Ｈ５          ボトル開口部の切欠き高さ
Ｈ６          不織布上面高さ
Ｈ７          放出口高さ
Ｈ８          巻ブッシュの斜面部により調節された放出部高さ
Ｈ９          ボトル開口部側壁の放出穴高さ
Ｈ１０        絞り弁高さ
Ｌ            水位
←            水の流れ方向
【図１】
2011239690.tif 000003
【図２】
2011239690.tif 000004
【図３】
2011239690.tif 000005
【図４】
2011239690.tif 000006
【図５】
2011239690.tif 000007
【図６】
2011239690.tif 000008
【図７】
2011239690.tif 000009
【図８】
2011239690.tif 000010
【図９】
2011239690.tif 000011
【図１０】
2011239690.tif 000012
【図１１】
2011239690.tif 000013
【図１２】
2011239690.tif 000014
【図１３】
2011239690.tif 000015
【図１４】
2011239690.tif 000016
【図１５】
2011239690.tif 000017
【図１６】
2011239690.tif 000018
【図１７】
2011239690.tif 000019
【図１８】
2011239690.tif 000020
【図１９】
2011239690.tif 000021